(57)【特許請求の範囲】
【請求項１】
複数の表示素子が形成された表示パネルと、
複数の駆動電極と、
各駆動電極との間に静電容量を形成する１または複数のタッチ検出電極と、
前記表示パネルの額縁部の少なくとも一辺に沿って形成された複数の直流信号供給配線と、
互いに電圧が異なる複数の直流信号を生成して前記複数の直流信号供給配線に出力する信号生成部と、
前記表示パネルの額縁部の前記少なくとも一辺に形成され、各駆動電極に対して、前記複数の直流信号供給配線から供給される前記複数の直流信号を選択的に印加する駆動部と
を備えた表示装置。
【請求項２】
前記複数の直流信号供給配線の各々は、前記表示パネルの額縁部の対向する二辺に沿って形成され、
前記駆動部は、前記表示パネルの額縁部の対向する二辺の内の一方の辺に沿って形成された第１駆動部と、前記表示パネルの額縁部の対向する二辺の内の他方の辺に沿って形成された第２駆動部と、を含む
請求項１に記載の表示装置。
【請求項３】
前記複数の直流信号は、第１の直流信号および第２の直流信号であり、
前記駆動部は、前記表示素子に画素信号が書き込まれる書込期間において、前記複数の駆動電極に対して前記第１の直流信号を印加し、前記書込期間とは異なるタッチ検出期間のうちの少なくとも一部の期間において、前記複数の駆動電極のうちのタッチ検出の対象である１または複数の駆動対象電極に対して、前記第２の直流信号を印加する
請求項１又は２に記載の表示装置。
【請求項４】
前記駆動部は、前記複数の駆動電極の近傍に配置されている
請求項３に記載の表示装置。
【請求項５】
前記駆動部は、前記タッチ検出期間において、前記複数の駆動電極のうちの前記駆動対象電極以外の駆動電極を、電気的にフローティング状態にする
請求項３に記載の表示装置。
【請求項６】
前記駆動部は、前記タッチ検出期間において、前記複数の駆動電極のうちの前記駆動対象電極以外の駆動電極に対して、前記第１の直流信号を印加する
請求項３に記載の表示装置。
【請求項７】
前記画素信号を生成する画素信号生成部と
前記画素信号を伝える複数の信号線と
を備え、
前記画素信号生成部は、前記書込期間において、前記複数の信号線に対して前記画素信号を印加し、前記タッチ検出期間において、前記複数の信号線をフローティング状態にする
請求項３に記載の表示装置。
【請求項８】
前記画素信号を生成する画素信号生成部と
前記画素信号を伝える複数の信号線と
を備え、
前記画素信号生成部は、前記書込期間および前記タッチ検出期間において、前記複数の信号線に対して前記画素信号を印加する
請求項３に記載の表示装置。
【請求項９】
１の前記書込期間が１つの水平期間に存在し、
前記タッチ検出期間は、複数の書込期間に１つの割合で設けられている
請求項３に記載の表示装置。
【請求項１０】
１の前記書込期間が１つの水平期間に存在し、
前記タッチ検出期間は、１つの書込期間に１つの割合で設けられている
請求項３に記載の表示装置。
【請求項１１】
前記駆動部は、前記複数の駆動電極を、所定本数の駆動電極からなる電極ブロックを単位として駆動する
請求項１又は２に記載の表示装置。
【請求項１２】
前記表示素子は、
液晶層と、
前記液晶層および前記駆動電極の間に形成され、もしくは前記駆動電極を挟んで前記液晶層と対向するように配置された画素電極と
を含んで構成される
請求項１又は２に記載の表示装置。
【請求項１３】
前記表示素子は、
液晶層と、
前記液晶層を挟んで前記駆動電極と対向するように配置された画素電極と
を含んで構成される
請求項１又は２に記載の表示装置。
【請求項１４】
表示パネルの額縁部の少なくとも一辺に沿って形成された複数の直流信号供給配線と、
互いに電圧が異なる複数の直流信号を生成して前記複数の直流信号供給配線に出力する信号生成部と、
前記表示パネルの額縁部の前記少なくとも一辺に形成され、１または複数のタッチ検出電極との間に静電容量を形成する複数の駆動電極のそれぞれに対して、前記複数の直流信号供給配線から供給される前記複数の直流信号を選択的に印加する駆動部と
を備えた駆動回路。
【請求項１５】
互いに電圧が異なる複数の直流信号を生成して表示パネルの額縁部の少なくとも一辺に沿って形成された複数の直流信号供給配線に出力し、１または複数のタッチ検出電極との間に静電容量を形成する複数の駆動電極のそれぞれに対して、前記複数の直流信号供給配線から供給される前記複数の直流信号を選択的に印加する
駆動方法。
【請求項１６】
表示装置と、
前記表示装置を利用した動作制御を行う制御部と
を備え、
前記表示装置は、
複数の表示素子が形成された表示パネルと、
複数の駆動電極と、
各駆動電極との間に静電容量を形成する１または複数のタッチ検出電極と、
前記表示パネルの額縁部の少なくとも一辺に沿って形成された複数の直流信号供給配線と、
互いに電圧が異なる複数の直流信号を生成して前記複数の直流信号供給配線に出力する信号生成部と、
前記表示パネルの額縁部の前記少なくとも一辺に形成され、各駆動電極に対して、前記複数の直流信号供給配線から供給される前記複数の直流信号を選択的に印加する駆動部と
を有する
電子機器。
【発明の詳細な説明】
【技術分野】
【０００１】
本開示は、外部近接物体によるタッチを検出する機能を有する表示パネル、そのような表示パネルに用いられる駆動回路および駆動方法、ならびにそのような表示パネルを備えた電子機器に関する。
【背景技術】
【０００２】
近年、いわゆるタッチパネルと呼ばれる接触検出装置を液晶表示パネル等の表示パネル上に装着し、あるいはタッチパネルと表示パネルとを一体化し、その表示パネルに各種のボタン画像等を表示させることにより、通常の機械式ボタンの代わりとして情報入力を可能とした表示パネルが注目されている。このようなタッチ検出機能を有する表示パネルは、キーボードやマウス、キーパッドのような入力装置を必要としないため、コンピュータのほか、携帯電話のような携帯情報端末などでも、使用が拡大する傾向にある。
【０００３】
タッチパネルの方式としては、光学式、抵抗式、静電容量式などいくつかの方式が存在する。例えば、特許文献１には、一方向に延伸する複数の電極を互いに交差するように配置した、静電容量式のタッチパネルが提案されている。このタッチパネルでは、各電極は、それぞれ制御回路と接続され、制御回路から励磁電流を供給することにより、外部近接物体を検出するようになっている。
【０００４】
また、例えば、特許文献２には、表示パネルにもともと備えられている表示用の共通電極を、一対のタッチセンサ用電極のうちの一方として兼用し、他方の電極（タッチ検出電極）をこの共通電極と交差するように配置した、いわゆるインセルタイプの表示パネルが提案されている。また、表示パネルの表示面上にタッチパネルを形成した、いわゆるオンセルタイプの表示パネルもいくつか提案されている。
【先行技術文献】
【特許文献】
【０００５】
【特許文献１】特表２００６−５１１８７９号公報
【特許文献２】特開２００９−２５８１８２号公報
【発明の概要】
【発明が解決しようとする課題】
【０００６】
ところで、近年、表示パネルの高精細化や大型化が進んでいる。例えば、表示パネルとタッチパネルとを同期して動作させる場合には、水平ラインが増加することに伴い、１フレーム期間における、画素信号の書込期間の占める割合が多くなるため、タッチ検出のための時間が短くなってしまう。よって、タッチパネルでは、本来の目的であるタッチ検出精度を維持しつつ、短い時間でタッチ検出を行うことが望まれている。
【０００７】
本開示はかかる問題点に鑑みてなされたもので、その目的は、タッチ検出精度の低減を抑えつつ、短い時間でタッチ検出を行うことができる表示パネル、駆動回路、駆動方法、および電子機器を提供することにある。
【課題を解決するための手段】
【０００８】
本開示の表示装置は、複数の表示素子が形成された表示パネルと、複数の駆動電極と、１または複数のタッチ検出電極と、表示パネルの額縁部の少なくとも一辺に沿って形成された複数の直流信号供給配線と、信号生成部と、表示パネルの額縁部の少なくとも一辺に形成された駆動部とを備えている。１または複数のタッチ検出電極は、各駆動電極との間に静電容量を形成するものである。信号生成部は、互いに電圧が異なる複数の直流信号を生成して複数の直流信号供給配線に出力するものである。駆動部は、各駆動電極に対して、前記複数の直流信号供給配線から供給される複数の直流信号を選択的に印加するものである。
【０００９】
本開示の駆動回路は、表示パネルの額縁部の少なくとも一辺に沿って形成された複数の直流信号供給配線と、信号生成部と、表示パネルの額縁部の少なくとも一辺に形成された駆動部とを備えている。信号生成部は、互いに電圧が異なる複数の直流信号を生成して複数の直流信号供給配線に出力するものである。駆動部は、１または複数のタッチ検出電極との間に静電容量を形成する複数の駆動電極のそれぞれに対して、複数の直流信号供給配線から供給される複数の直流信号を選択的に印加するものである。
【００１０】
本開示の駆動方法は、互いに電圧が異なる複数の直流信号を生成して表示パネルの額縁部の少なくとも一辺に沿って形成された複数の直流信号供給配線に出力し、１または複数のタッチ検出電極との間に静電容量を形成する複数の駆動電極のそれぞれに対して、複数の直流信号供給配線から供給される複数の直流信号を選択的に印加するものである。
【００１１】
本開示の電子機器は、上記表示装置を備えたものであり、例えば、テレビジョン装置、デジタルカメラ、パーソナルコンピュータ、ビデオカメラあるいは携帯電話等の携帯端末装置などが該当する。
【００１２】
本開示の表示装置、駆動回路、駆動方法、および電子機器では、複数の駆動電極に対して駆動信号が印加され、その駆動信号が静電容量を介してタッチ検出電極に伝わる。その際、複数の直流信号が選択的に印加されることにより、駆動信号が印加される。
【発明の効果】
【００１３】
本開示の表示装置、駆動回路、駆動方法、および電子機器によれば、駆動電極に対して、複数の直流信号を選択的に印加するようにしたので、タッチ検出精度の低減を抑えつつ、短い時間でタッチ検出を行うことができる。
【図面の簡単な説明】
【００１４】
【図１】本開示の表示パネルにおけるタッチ検出方式の基本原理を説明するための図であり、指が接触または近接していない状態を表す図である。
【図２】本開示の表示パネルにおけるタッチ検出方式の基本原理を説明するための図であり、指が接触または近接した状態を表す図である。
【図３】本開示の表示パネルにおけるタッチ検出方式の基本原理を説明するための図であり、駆動信号およびタッチ検出信号の波形の一例を表す図である。
【図４】本開示の実施の形態に係る表示パネルの一構成例を表すブロック図である。
【図５】図４に示した選択スイッチ部の一構成例を表すブロック図である。
【図６】図４に示したタッチ検出機能付き表示デバイスの概略断面構造を表す断面図である。
【図７】図４に示した液晶表示デバイスにおける画素配列を表す回路図である。
【図８】図４に示したタッチ検出デバイスにおける駆動電極およびタッチ検出電極の一構成例を表す斜視図である。
【図９】図４に示した表示パネルにおけるタッチ検出走査の一動作例を表す模式図である。
【図１０】図４に示した表示パネルにおける表示走査およびタッチ検出走査の一動作例を表す模式図である。
【図１１】第１の実施の形態に係る駆動電極ドライバの一構成例を表すブロック図である。
【図１２】図４に示した表示パネルの実装例を表す模式図である。
【図１３】第１の実施の形態に係る表示パネルの一動作例を表すタイミング波形図である。
【図１４】第１の実施の形態に係る表示パネルにおけるタッチ検出動作の一例を表すタイミング波形図である。
【図１５】比較例に係る表示パネルの実装例を表す模式図である。
【図１６】他の比較例に係る表示パネルの一構成例を表すブロック図である。
【図１７】図１６に示した表示パネルの実装例を表す模式図である。
【図１８】図１６に示した表示パネルの一動作例を表すタイミング波形図である。
【図１９】図４に示した表示パネルの特性例を表す特性図である。
【図２０】第１の実施の形態の変形例に係る表示パネルの一動作例を表す模式図である。
【図２１】第１の実施の形態の変形例に係る表示パネルのタッチ検出動作の一動作例を表すタイミング波形図である。
【図２２】第１の実施の形態の他の変形例に係る表示パネルのタッチ検出動作の一動作例を表すタイミング波形図である。
【図２３】第１の実施の形態の他の変形例に係る駆動電極ドライバの一構成例を表すブロック図である。
【図２４】図２３に示した駆動電極ドライバの一動作例を表す真理値表である。
【図２５】第１の実施の形態の他の変形例に係る駆動電極ドライバの一構成例を表すブロック図である。
【図２６】第１の実施の形態の他の変形例に係る駆動電極ドライバの一構成例を表すブロック図である。
【図２７】図２６に示した駆動電極ドライバの一動作例を表す真理値表である。
【図２８】第２の実施の形態に係る駆動部の一構成例を表すブロック図である。
【図２９】第２の実施の形態に係る表示パネルの一動作例を表すタイミング波形図である。
【図３０】第２の実施の形態に係る表示パネルの特性例を表す特性図である。
【図３１】第２の実施の形態の変形例に係る表示パネルの一構成例を表すブロック図である。
【図３２】図３１に示した表示パネルの一動作例を表すタイミング波形図である。
【図３３】第２の実施の形態に係る表示パネルの他の特性例を表す特性図である。
【図３４】実施の形態に係る表示パネルが適用されたテレビジョン装置の外観構成を表す斜視図である。
【図３５】変形例に係るタッチ検出機能付き表示デバイスの概略断面構造を表す断面図である。
【発明を実施するための形態】
【００１５】
以下、本開示の実施の形態について、図面を参照して詳細に説明する。なお、説明は以下の順序で行う。
１．静電容量式タッチ検出の基本原理
２．第１の実施の形態
３．第２の実施の形態
４．適用例
【００１６】
＜１．静電容量式タッチ検出の基本原理＞
まず最初に、図１〜図３を参照して、本開示の表示パネルにおけるタッチ検出の基本原理について説明する。このタッチ検出方式は、静電容量式のタッチセンサとして具現化されるものであり、例えば図１（Ａ）に示したように、誘電体Ｄを挟んで互いに対向配置された一対の電極（駆動電極Ｅ１およびタッチ検出電極Ｅ２）を用い、容量素子を構成する。この構造は、図１（Ｂ）に示した等価回路として表される。駆動電極Ｅ１、タッチ検出電極Ｅ２および誘電体Ｄによって、容量素子Ｃ１が構成される。容量素子Ｃ１は、その一端が交流信号源（駆動信号源）Ｓに接続され、他端Ｐは抵抗器Ｒを介して接地されると共に、電圧検出器（タッチ検出回路）ＤＥＴに接続される。交流信号源Ｓから駆動電極Ｅ１（容量素子Ｃ１の一端）に所定の周波数（例えば数ｋＨｚ〜数十ｋＨｚ程度）の交流矩形波Ｓｇ（図３（Ｂ））を印加すると、タッチ検出電極Ｅ２（容量素子Ｃ１の他端Ｐ）に、図３（Ａ）に示したような出力波形（タッチ検出信号Ｖdet）が現れる。
【００１７】
指が接触（または近接）していない状態では、図１に示したように、容量素子Ｃ１に対する充放電に伴って、容量素子Ｃ１の容量値に応じた電流Ｉ０が流れる。このときの容量素子Ｃ１の他端Ｐの電位波形は、例えば図３（Ａ）の波形Ｖ０のようになり、これが電圧検出器ＤＥＴによって検出される。
【００１８】
一方、指が接触（または近接）した状態では、図２に示したように、指によって形成される容量素子Ｃ２が容量素子Ｃ１に直列に追加された形となる。この状態では、容量素子Ｃ１、Ｃ２に対する充放電に伴って、それぞれ電流Ｉ１、Ｉ２が流れる。このときの容量素子Ｃ１の他端Ｐの電位波形は、例えば図３（Ａ）の波形Ｖ１のようになり、これが電圧検出器ＤＥＴによって検出される。このとき、点Ｐの電位は、容量素子Ｃ１、Ｃ２を流れる電流Ｉ１、Ｉ２の値によって定まる分圧電位となる。このため、波形Ｖ１は、非接触状態での波形Ｖ０よりも小さい値となる。電圧検出器ＤＥＴは、検出した電圧を所定のしきい値電圧Ｖthと比較し、このしきい値電圧以上であれば非接触状態と判断する一方、しきい値電圧未満であれば接触状態と判断する。このようにして、タッチ検出が可能となる。
【００１９】
＜２．第１の実施の形態＞
［構成例］
（全体構成例）
図４は、第１の実施の形態に係る表示パネルの一構成例を表すものである。この表示パネル１は、液晶表示デバイスと静電容量式のタッチ検出デバイスとを一体化した、いわゆるインセルタイプの表示パネルである。
【００２０】
この表示パネル１は、制御部１１と、ゲートドライバ１２と、ソースドライバ１３と、選択スイッチ部１４と、駆動信号生成部１５と、駆動電極ドライバ１６と、タッチ検出機能付き表示デバイス１０と、タッチ検出部４０とを備えている。
【００２１】
制御部１１は、映像信号Ｖdispに基づいて、ゲートドライバ１２、ソースドライバ１３、駆動電極ドライバ１６、およびタッチ検出部４０に対してそれぞれ制御信号を供給し、これらがお互いに同期して動作するように制御する回路である。
【００２２】
ゲートドライバ１２は、制御部１１から供給される制御信号に基づいて、タッチ検出機能付き表示デバイス１０の表示駆動の対象となる１水平ラインを順次選択する機能を有している。具体的には、ゲートドライバ１２は、制御部１１から供給される制御信号に基づいて走査信号Ｖscanを生成し、その走査信号Ｖscanを、走査信号線ＧＣＬを介して、画素ＰixのＴＦＴ素子Ｔｒのゲートに印加することにより、タッチ検出機能付き表示デバイス１０の液晶表示デバイス２０にマトリックス状に形成されている画素Ｐixのうちの１行（１水平ライン）を表示駆動の対象として順次選択する。
【００２３】
ソースドライバ１３は、制御部１１から供給される映像信号およびソースドライバ制御信号に基づいて、画素信号Ｖsigを生成し出力するものである。具体的には、ソースドライバ１３は、後述するように、１水平ライン分の映像信号から、タッチ検出機能付き表示デバイス１０の液晶表示デバイス２０の複数（この例では３つ）のサブ画素ＳＰixの画素信号Ｖpixを時分割多重した画素信号Ｖsigを生成し、選択スイッチ部１４に供給するようになっている。また、ソースドライバ１３は、画素信号Ｖsigに多重化された画素信号Ｖpixを分離するために必要なスイッチ制御信号Ｖsel（ＶselR，ＶselG，ＶselB）を生成し、画素信号Ｖsigとともに選択スイッチ部１４に供給する機能も有している。なお、この多重化は、ソースドライバ１３と選択スイッチ部１４との間の配線数を少なくするために行われるものである。
【００２４】
選択スイッチ部１４は、ソースドライバ１３から供給された画素信号Ｖsigおよびスイッチ制御信号Ｖselに基づいて、画素信号Ｖsigに時分割多重された画素信号Ｖpixを分離し、タッチ検出機能付き表示デバイス１０の液晶表示デバイス２０に供給するものである。
【００２５】
図５は、選択スイッチ部１４の一構成例を表すものである。選択スイッチ部１４は、複数のスイッチグループ１７を有する。各スイッチグループ１７は、この例では、３つのスイッチＳＷＲ，ＳＷＧ，ＳＷＢを有しており、それぞれの一端は互いに接続されソースドライバ１３から画素信号Ｖsigが供給され、他端はタッチ検出機能付き表示デバイス１０の液晶表示デバイス２０の画素信号線ＳＧＬを介して、画素Ｐixに係る３つのサブ画素ＳＰix（Ｒ，Ｇ，Ｂ）にそれぞれ接続されている。この３つのスイッチＳＷＲ，ＳＷＧ，ＳＷＢは、ソースドライバ１３から供給されたスイッチ制御信号Ｖsel（ＶselR，ＶselG，ＶselB）によってそれぞれオンオフ制御されるようになっている。この構成により、選択スイッチ部１４は、スイッチ制御信号Ｖselに応じてこの３つのスイッチＳＷＲ，ＳＷＧ，ＳＷＢを時分割的に順次切り替えてオン状態にすることにより、多重化された画素信号Ｖsigから画素信号Ｖpix（ＶpixR，ＶpixG，ＶpixB）を分離するように機能する。そして、選択スイッチ部１４は、これらの画素信号Ｖpixを、３つのサブ画素ＳＰixにそれぞれ供給するようになっている。
【００２６】
駆動信号生成部１５は、２つの直流駆動信号ＶcomDC，ＶcomHを生成し、駆動電極ドライバ１６に供給するものである。この例では、直流駆動信号ＶcomDCは、電圧が０Ｖの直流信号であり、直流駆動信号ＶcomHは、０Ｖより高い電圧ＶＨの直流信号である。
【００２７】
駆動電極ドライバ１６は、制御部１１から供給される制御信号に基づいて、タッチ検出機能付き表示デバイス１０の駆動電極ＣＯＭＬ（後述）に駆動信号Ｖcomを供給する回路である。具体的には、駆動電極ドライバ１６は、表示動作では、駆動電極ＣＯＭＬに対して、直流駆動信号ＶcomDCを印加する。また、タッチ検出動作では、駆動電極ドライバ１６は、直流駆動信号ＶcomDC，ＶcomHからパルス信号を生成し、タッチ検出動作に係る駆動電極ＣＯＭＬに対して印加するとともに、それ以外の駆動電極ＣＯＭＬに対して、直流駆動信号ＶcomDCを印加する。その際、駆動電極ドライバ１６は、後述するように、所定の数の駆動電極ＣＯＭＬからなるブロック（後述する駆動電極ブロックＢ）ごとに駆動電極ＣＯＭＬを駆動するようになっている。
【００２８】
タッチ検出機能付き表示デバイス１０は、タッチ検出機能を内蔵した表示デバイスである。タッチ検出機能付き表示デバイス１０は、液晶表示デバイス２０と、タッチ検出デバイス３０とを有する。液晶表示デバイス２０は、後述するように、ゲートドライバ１２から供給される走査信号Ｖscanに従って、１水平ラインずつ順次走査して表示を行うデバイスである。タッチ検出デバイス３０は、上述した静電容量式タッチ検出の基本原理に基づいて動作し、タッチ検出信号Ｖdetを出力するものである。このタッチ検出デバイス３０は、後述するように、駆動電極ドライバ１６から供給される駆動信号Ｖcomに従って順次走査してタッチ検出を行うようになっている。
【００２９】
タッチ検出部４０は、制御部１１から供給されるタッチ検出制御信号と、タッチ検出機能付き表示デバイス１０のタッチ検出デバイス３０から供給されたタッチ検出信号Ｖdetに基づいて、タッチ検出デバイス３０に対するタッチの有無を検出し、タッチがある場合においてタッチ検出領域におけるその座標などを求める回路である。このタッチ検出部４０はＬＰＦ（Low Pass Filter）部４２と、Ａ／Ｄ変換部４３と、信号処理部４４と、座標抽出部４５と、検出タイミング制御部４６とを有している。ＬＰＦ部４２は、タッチ検出デバイス３０から供給されるタッチ検出信号Ｖdetに含まれる高い周波数成分（ノイズ成分）を除去し、タッチ成分を取り出してそれぞれ出力する低域通過アナログフィルタである。ＬＰＦ部４２の入力端子のそれぞれと接地との間には、直流電位（例えば０Ｖ）を与えるための抵抗Ｒが接続されている。なお、この抵抗Ｒに代えて、例えばスイッチを設け、所定の時間にこのスイッチをオン状態にすることにより直流電位（０Ｖ）を与えるようにしてもよい。Ａ／Ｄ変換部４３は、駆動信号Ｖcomのパルス信号に同期したタイミングで、ＬＰＦ部４２から出力されるアナログ信号をそれぞれサンプリングしてデジタル信号に変換する回路である。信号処理部４４は、Ａ／Ｄ変換部４３の出力信号に基づいて、タッチ検出デバイス３０に対するタッチの有無を検出する論理回路である。座標抽出部４５は、信号処理部４４においてタッチ検出がなされたときに、そのタッチパネル座標を求める論理回路である。検出タイミング制御部４６は、これらの回路が同期して動作するように制御するようになっている。
【００３０】
（タッチ検出機能付き表示デバイス１０）
次に、タッチ検出機能付き表示デバイス１０の構成例を詳細に説明する。
【００３１】
図６は、タッチ検出機能付き表示デバイス１０の要部断面構造の例を表すものである。このタッチ検出機能付き表示デバイス１０は、画素基板２と、この画素基板２に対向して配置された対向基板３と、画素基板２と対向基板３との間に挿設された液晶層６とを備えている。
【００３２】
画素基板２は、回路基板としてのＴＦＴ基板２１と、駆動電極ＣＯＭＬと、画素電極２２とを有している。ＴＦＴ基板２１は、各種電極や配線（後述する画素信号線ＳＧＬや走査信号線ＧＣＬ等）、薄膜トランジスタ（ＴＦＴ；Thin Film Transistor）などが形成される回路基板として機能するものである。ＴＦＴ基板２１は例えばガラスにより構成されるものである。ＴＦＴ基板２１の上には、駆動電極ＣＯＭＬが形成される。駆動電極ＣＯＭＬは、複数の画素Ｐix（後述）に共通の電圧を供給するための電極である。この駆動電極ＣＯＭＬは、液晶表示動作のための共通駆動電極として機能するとともに、タッチ検出動作のための駆動電極としても機能するものである。駆動電極ＣＯＭＬの上には絶縁層２３が形成され、その上に画素電極２２が形成される。画素電極２２は、表示を行うための画素信号を供給するための電極であり、透光性を有するものである。駆動電極ＣＯＭＬおよび画素電極２２は、例えばＩＴＯ（Indium Tin Oxide）により構成される。
【００３３】
対向基板３は、ガラス基板３１と、カラーフィルタ３２と、タッチ検出電極ＴＤＬとを有している。カラーフィルタ３２は、ガラス基板３１の一方の面に形成されている。このカラーフィルタ３２は、例えば赤（Ｒ）、緑（Ｇ）、青（Ｂ）の３色のカラーフィルタ層を周期的に配列して構成したもので、各表示画素にＲ、Ｇ、Ｂの３色が１組として対応付けられている。また、ガラス基板３１の他方の面には、タッチ検出電極ＴＤＬが形成されている。タッチ検出電極ＴＤＬは、例えばＩＴＯにより構成され、透光性を有する電極である。このタッチ検出電極ＴＤＬの上には、偏光板３５が配設されている。
【００３４】
液晶層６は、表示機能層として機能するものであり、電界の状態に応じてそこを通過する光を変調するものである。この電界は、駆動電極ＣＯＭＬの電圧と画素電極２２の電圧との電位差により形成される。液晶層６には、ＦＦＳ（フリンジフィールドスイッチング）やＩＰＳ（インプレーンスイッチング）等の横電界モードの液晶が用いられる。
【００３５】
なお、液晶層６と画素基板２との間、および液晶層６と対向基板３との間には、それぞれ配向膜が配設され、また、画素基板２の下面側には入射側偏光板が配置されるが、ここでは図示を省略している。
【００３６】
図７は、液晶表示デバイス２０における画素構造の構成例を表すものである。液晶表示デバイス２０は、マトリックス状に配列した複数の画素Ｐixを有している。各画素Ｐixは、３つのサブ画素ＳＰixにより構成される。この３つのサブ画素ＳＰixは、図６に示したカラーフィルタ３２の３色（ＲＧＢ）にそれぞれ対応するように配置されている。サブ画素ＳＰixは、ＴＦＴ素子Ｔｒおよび液晶素子ＬＣを有している。ＴＦＴ素子Ｔｒは、薄膜トランジスタにより構成されるものであり、この例では、ｎチャネルのＭＯＳ（Metal Oxide Semiconductor）型のＴＦＴで構成されている。ＴＦＴ素子Ｔｒのソースは画素信号線ＳＧＬに接続され、ゲートは走査信号線ＧＣＬに接続され、ドレインは液晶素子ＬＣの一端に接続されている。液晶素子ＬＣは、一端がＴＦＴ素子Ｔｒのドレインに接続され、他端が駆動電極ＣＯＭＬに接続されている。
【００３７】
サブ画素ＳＰixは、走査信号線ＧＣＬにより、液晶表示デバイス２０の同じ行に属する他のサブ画素ＳＰixと互いに接続されている。走査信号線ＧＣＬは、ゲートドライバ１２と接続され、ゲートドライバ１２より走査信号Ｖscanが供給される。また、サブ画素ＳＰixは、画素信号線ＳＧＬにより、液晶表示デバイス２０の同じ列に属する他のサブ画素ＳＰixと互いに接続されている。画素信号線ＳＧＬは、選択スイッチ部１４と接続され、選択スイッチ部１４より画素信号Ｖpixが供給される。
【００３８】
さらに、サブ画素ＳＰixは、駆動電極ＣＯＭＬにより、液晶表示デバイス２０の同じ行に属する他のサブ画素ＳＰixと互いに接続されている。駆動電極ＣＯＭＬは、駆動電極ドライバ１６と接続され、駆動電極ドライバ１６より駆動信号Ｖcomが供給される。
【００３９】
この構成により、液晶表示デバイス２０では、ゲートドライバ１２が走査信号線ＧＣＬを時分割的に線順次走査するように駆動することにより、１水平ラインが順次選択され、その１水平ラインに属する画素Ｐixに対して、ソースドライバ１３および選択スイッチ部１４が画素信号Ｖpixを供給することにより、１水平ラインずつ表示が行われるようになっている。
【００４０】
図８は、タッチ検出デバイス３０の一構成例を斜視的に表すものである。タッチ検出デバイス３０は、画素基板２に設けられた駆動電極ＣＯＭＬ、および対向基板３に設けられたタッチ検出電極ＴＤＬにより構成されている。駆動電極ＣＯＭＬは、図の左右方向に延在する帯状の電極パターンを有している。タッチ検出動作を行う際は、後述するように、各電極パターンには、所定の数の駆動電極ＣＯＭＬからなるブロック（後述する駆動電極ブロックＢ）ごとに駆動信号Ｖcomのパルス信号が順次供給され、時分割的に順次走査駆動が行われるようになっている。タッチ検出電極ＴＤＬは、駆動電極ＣＯＭＬの電極パターンの延在方向と直交する方向に延びる帯状の電極パターンを有している。タッチ検出電極ＴＤＬの各電極パターンは、タッチ検出部４０のＬＰＦ部４２の入力にそれぞれ接続されている。駆動電極ＣＯＭＬとタッチ検出電極ＴＤＬにより互いに交差した電極パターンは、その交差部分に静電容量を形成している。
【００４１】
この構成により、タッチ検出デバイス３０では、駆動電極ドライバ１６が駆動電極ＣＯＭＬに対して駆動信号Ｖcomを印加することにより、タッチ検出電極ＴＤＬからタッチ検出信号Ｖdetを出力し、タッチ検出が行われるようになっている。つまり、駆動電極ＣＯＭＬは、図１〜図３に示したタッチ検出の基本原理における駆動電極Ｅ１に対応し、タッチ検出電極ＴＤＬは、タッチ検出電極Ｅ２に対応するものであり、タッチ検出デバイス３０はこの基本原理に従ってタッチを検出するようになっている。図８に示したように、互いに交差した電極パターンは、静電容量式タッチセンサをマトリックス状に構成している。よって、タッチ検出デバイス３０のタッチ検出面全体にわたって走査することにより、外部近接物体の接触または近接が生じた位置の検出も可能となっている。
【００４２】
駆動電極ドライバ１６は、所定の数の駆動電極ＣＯＭＬからなるブロック（駆動電極ブロックＢ）ごとに駆動電極ＣＯＭＬを駆動して、タッチ検出走査を行う。
【００４３】
図９は、タッチ検出走査を模式的に表すものである。図９では、タッチ検出面が２０個の駆動電極ブロックＢ１〜Ｂ２０により構成される場合の、各駆動電極ブロックＢ１〜Ｂ２０に対する駆動信号Ｖcomの供給動作を示している。図９において、斜線で示した駆動電極ブロックＢは、直流駆動信号ＶcomDC，ＶcomHから生成されるパルス信号が供給されていることを示し、その他の駆動電極ブロックＢは、直流駆動信号ＶcomDCが供給されていることを示す。
【００４４】
駆動電極ドライバ１６は、駆動電極ＣＯＭＬに対して、駆動電極ブロックＢごとに駆動信号Ｖcomを印加する。この駆動電極ブロックＢは、例えば、ユーザの指の大きさに対応する幅（例えば５ｍｍ程度）に設定される。駆動電極ドライバ１６は、図９に示したように、タッチ検出動作の対象となる駆動電極ブロックＢを順次選択して、その駆動電極ブロックＢに属する駆動電極ＣＯＭＬにパルス信号を印加することにより、全ての駆動電極ブロックＢにわたって走査する。なお、この例では、説明の便宜上、駆動電極ブロックＢの個数を２０個としているが、これに限定されるものではない。
【００４５】
図１０は、表示走査およびタッチ検出走査を模式的に表すものである。表示パネル１では、ゲートドライバ１２が走査信号線ＧＣＬを時分割的に線順次走査するように駆動することにより、表示走査Ｓcandを行うとともに、駆動電極ドライバ１６が駆動電極ブロックＢを順次選択して駆動することにより、タッチ検出走査Ｓcantを行う。この例では、タッチ検出走査Ｓcantは、表示走査Ｓcandの２倍の走査速度で行われる。このように、表示パネル１では、タッチ検出の走査速度を表示走査よりも速くすることにより、外部近接物体によるタッチにすぐに応答することができ、タッチ検出に対する応答特性を改善することができるようになっている。なお、これに限定されるものではなく、例えば、タッチ検出走査Ｓcantは、表示走査Ｓcandの２倍以上の走査速度で行われるようにしてもよいし、表示走査Ｓcandの２倍以下の走査速度で行われるようにしてもよい。
【００４６】
（駆動電極ドライバ１６）
図１１は、駆動電極ドライバ１６の一構成例を表すものである。駆動電極ドライバ１６は、走査制御部５１と、タッチ検出走査部５２と、駆動部５３０とを備えている。駆動部５３０は、２０個の駆動部５３(1)〜５３(20)を有している。以後、２０個の駆動部５３(2)〜５３(20)のうちの任意の一つをさす場合には、単に駆動部５３を用いるものとする。
【００４７】
走査制御部５１は、制御部１１より供給された制御信号に基づいて、タッチ検出走査部５２に対して制御信号を供給するものである。また、走査制御部５１は、直流駆動信号ＶcomDCと直流駆動信号ＶcomHのうちのどちらを駆動電極ＣＯＭＬに供給するかを指示するためのＶcom選択信号ＶＣＯＭＳＥＬを、駆動部５３０に対して供給する機能も有している。
【００４８】
タッチ検出走査部５２は、シフトレジスタを含んで構成され、直流駆動信号ＶcomHを印加する駆動電極ＣＯＭＬを選択するための走査信号Ｓｔを生成するものである。具体的には、タッチ検出走査部５２は、後述するように、走査制御部５１から供給された制御信号に基づいて、それぞれが各駆動電極ブロックＢに対応する複数の走査信号Ｓｔを生成する。そして、タッチ検出走査部５２が、例えば高レベルの信号をｋ番目の走査信号Ｓｔ(k)としてｋ番目の駆動部５３(k)に供給した場合に、この駆動部５３(k)は、ｋ番目の駆動電極ブロックＢ(k)に属する複数の駆動電極ＣＯＭＬに直流駆動信号ＶcomHを印加するようになっている。
【００４９】
駆動部５３０は、タッチ検出走査部５２から供給された走査信号Ｓｔ、および走査駆動部５１から供給されたＶcom選択信号ＶＣＯＭＳＥＬに基づいて、駆動信号生成部１５から供給された直流駆動信号ＶcomDCまたは直流駆動信号ＶcomHを駆動電極ＣＯＭＬに印加するものである。駆動部５３は、タッチ検出走査部５２の出力信号に対応して１つずつ設けられており、対応する駆動電極ブロックＢに対して駆動信号Ｖcomを印加するようになっている。
【００５０】
駆動部５３は、論理積回路５４と、インバータ５５と、バッファ５６，５７と、スイッチＳＷ１，ＳＷ２とを有している。論理積回路５４は、タッチ検出走査部５２から供給された走査信号Ｓｔ、および走査制御部５１から供給されたＶcom選択信号ＶＣＯＭＳＥＬの論理積（ＡＮＤ）を生成して出力するものである。インバータ５５は、論理積回路５４の出力信号の反転論理を生成して出力するものである。バッファ５６は、論理積回路５４から供給された信号を、スイッチＳＷ１をオンオフ制御することができる振幅レベルに増幅する機能を有している。スイッチＳＷ１は、バッファ５６から供給される信号に基づいてオンオフ制御されるものであり、一端には直流駆動信号ＶcomHが供給され、他端は駆動電極ブロックＢを構成する複数の駆動電極ＣＯＭＬに接続されている。バッファ５７は、インバータ５５から供給される信号を、スイッチＳＷ２をオンオフ制御することができる振幅レベルに増幅する機能を有している。スイッチＳＷ２は、バッファ５７から供給される信号に基づいてオンオフ制御されるものであり、一端には直流駆動信号ＶcomDCが供給され、他端はスイッチＳＷ１の他端に接続されている。
【００５１】
この構成により、駆動部５３は、走査信号Ｓｔが高レベルの場合には、Ｖcom選択信号ＶＣＯＭＳＥＬが高レベルのときに、直流駆動信号ＶcomHを駆動信号Ｖcomとして出力し、Ｖcom選択信号ＶＣＯＭＳＥＬが低レベルのときに、直流駆動信号ＶcomDCを駆動信号Ｖcomとして出力する。また、駆動部５３は、走査信号Ｓｔが低レベルの場合には、直流駆動信号ＶcomDCを駆動信号Ｖcomとして出力する。そして、駆動部５３は、このようにして出力した駆動信号Ｖcomを、その駆動部５３に対応する駆動電極ブロックＢを構成する複数の駆動電極ＣＯＭＬに対して供給するようになっている。
【００５２】
（表示パネル１の実装例）
図１２は、表示パネル１の実装例を模式的に表すものである。制御部１１、ソースドライバ１３、および駆動信号生成部１５は、画素基板２上にＣＯＧ（Chip On Glass）として実装される。選択スイッチ部１４は、ＴＦＴ基板２１上の表示領域Ａｄの近傍に、ＴＦＴ素子を用いて形成されている。
【００５３】
ゲートドライバ１２（１２Ａ，１２Ｂ）は、ＴＦＴ基板２１上にＴＦＴ素子を用いて形成されている。この例では、ゲートドライバ１２は、図１２において、画素基板２の上側（１２Ａ）と下側（１２Ｂ）に配置され、表示領域Ａｄにマトリックス状に配置された図示しない画素Ｐixを、両側から駆動することができるようになっている。
【００５４】
駆動電極ドライバ１６（１６Ａ，１６Ｂ）は、ＴＦＴ基板２１上にＴＦＴ素子を用いて形成されている。この例では、駆動電極ドライバ１６は、図１２において、画素基板２の上側（１６Ａ）と下側（１６Ｂ）に配置され、駆動信号生成部１５から、太いパターンを有する配線ＬＤＣを介して直流駆動信号ＶcomDCの供給を受けるとともに、同様に太いパターンを有する配線ＬＨを介して直流駆動信号ＶcomHの供給を受ける。そして、駆動電極ドライバ１６Ａ，１６Ｂは、並設された複数の駆動電極ブロックＢのそれぞれを、両側から駆動することができるようになっている。
【００５５】
また、タッチ検出部４０は、フレキシブルプリント基板Ｔ上に実装され、並設された複数のタッチ検出電極ＴＤＬのそれぞれと接続されている。
【００５６】
ここで、駆動信号生成部１５は、本開示における「信号生成部」の一具体例に対応する。直流駆動信号ＶcomDC，ＶcomHは、本開示における「直流信号」の一具体例に対応する。駆動電極ドライバ１６は、本開示における「駆動部」の一具体例に対応する。直流駆動信号ＶcomDCは、本開示における「第１の直流信号」の一具体例に対応し、直流駆動信号ＶcomHは、本開示における「第２の直流信号」の一具体例に対応する。ソースドライバ１３および選択スイッチ部１４は、本開示における「画素信号生成部」の一具体例に対応する。画素信号線ＳＧＬは、本開示における「信号線」の一具体例に対応する。
【００５７】
［動作および作用］
続いて、本実施の形態の表示パネル１の動作および作用について説明する。
【００５８】
（全体動作概要）
まず、図４を参照して、表示パネル１の全体動作概要を説明する。制御部１１は、映像信号Ｖdispに基づいて、ゲートドライバ１２、ソースドライバ１３、駆動電極ドライバ１６、およびタッチ検出部４０に対してそれぞれ制御信号を供給し、これらがお互いに同期して動作するように制御する。
【００５９】
ゲートドライバ１２は、液晶表示デバイス２０に走査信号Ｖscanを供給し、表示駆動の対象となる１水平ラインを順次選択する。ソースドライバ１３は、画素信号Ｖpixが多重化された画素信号Ｖsigと、それに対応したスイッチ制御信号Ｖselを生成し、選択スイッチ部１４に供給する。選択スイッチ部１４は、画素信号Ｖsigおよびスイッチ制御信号Ｖselに基づいて画素信号Ｖpixを分離生成し、その画素信号Ｖpixを、１水平ラインを構成する各サブ画素ＳＰixに供給する。駆動信号生成部１５は、直流駆動信号ＶcomDC，ＶcomHCを生成する。駆動電極ドライバ１６は、駆動電極ブロックＢごとに、駆動信号Ｖcomを印加する。具体的には、駆動電極ドライバ１６は、表示動作では、駆動電極ＣＯＭＬに対して、直流駆動信号ＶcomDCを印加する。また、タッチ検出動作では、タッチ検出動作に係る駆動電極ＣＯＭＬに対して、直流駆動信号ＶcomDC，ＶcomHからパルス信号を生成して印加するとともに、それ以外の駆動電極ＣＯＭＬに対して、直流駆動信号ＶcomDCを印加する。タッチ検出機能付き表示デバイス１０は、表示動作を行うとともにタッチ検出動作を行い、タッチ検出電極ＴＤＬからタッチ検出信号Ｖdetを出力する。
【００６０】
タッチ検出部４０は、タッチ検出信号Ｖdetに基づいて、タッチを検出する。具体的には、ＬＰＦ部４２は、タッチ検出信号Ｖdetに含まれる高い周波数成分（ノイズ成分）を除去し、タッチ成分を取り出して出力する。Ａ／Ｄ変換部４３は、ＬＰＦ部４２から出力されるアナログ信号をデジタル信号に変換する。信号処理部４４は、Ａ／Ｄ変換部４３の出力信号に基づいて、タッチ検出機能付き表示デバイス１０に対するタッチの有無を検出する。座標抽出部４５は、信号処理部４４においてタッチ検出がなされたときに、そのタッチパネル座標を求める。検出タイミング制御部４６は、ＬＰＦ部４２、Ａ／Ｄ変換部４３、信号処理部４４、座標抽出部４５が同期して動作するように制御する。
【００６１】
（詳細動作）
次に、表示パネル１の詳細動作を説明する。
【００６２】
図１３は、表示パネル１のタイミング波形例を表すものであり、（Ａ）は走査信号Ｖscanの波形を示し、（Ｂ）は画素信号Ｖsigの波形を示し、（Ｃ）はスイッチ制御信号Ｖselの波形を示し、（Ｄ）は画素信号Ｖpixの波形を示し、（Ｅ）はＶcom選択信号ＶＣＯＭＳＥＬの波形を示し、（Ｆ）は駆動信号Ｖcomの波形を示し、（Ｇ）はタッチ検出信号Ｖdetの波形を示す。
【００６３】
表示パネル１では、各１水平期間（１Ｈ）において、タッチ検出動作を行うタッチ検出期間Ｐｔと、表示動作の際に画素信号Ｖpixの書き込みを行う書込期間Ｐｗとが設けられる。タッチ検出動作では、駆動電極ドライバ１６が、駆動電極ブロックＢごとに、タッチ検出動作に係る駆動電極ＣＯＭＬに対して、直流駆動信号ＶcomDC，ＶcomHから生成されるパルス信号を順次印加することによりタッチ検出走査を行い、タッチ検出部４０が、タッチ検出電極ＴＤＬから出力されるタッチ検出信号Ｖdetに基づいてタッチを検出する。表示動作では、ゲートドライバ１２が、走査信号線ＧＣＬに対して走査信号Ｖscanを順次印加し、ソースドライバ１３および選択スイッチ部１４が、選択された水平ラインを構成する各サブ画素ＳＰixに対して画素信号Ｖpixを書き込む。以下にその詳細を説明する。
【００６４】
まず、タイミングｔ１において、１水平期間（１Ｈ）が開始するとともに、タッチ検出期間Ｐｔが開始する。
【００６５】
まず、駆動電極ドライバ１６の走査制御部５１は、タイミングｔ１において、Ｖcom選択信号ＶＣＯＭＳＥＬの電圧を低レベルから高レベルに変化させる（図１３（Ｅ））。これにより、駆動電極ドライバ１６では、タッチ検出動作に係るｋ番目の駆動部５３(k)において、スイッチＳＷ１がオン状態になるとともにスイッチＳＷ２がオフ状態となり、直流駆動信号ＶcomHが、そのスイッチＳＷ１を介して、対応するｋ番目の駆動電極ブロックＢ(k)を構成する駆動電極ＣＯＭＬに対して、駆動信号Ｖcom（Ｂ(k)）として印加される（図１３（Ｆ））。これにより、駆動信号Ｖcom（Ｂ(k)）は、低レベル（０Ｖ）から高レベル（電圧ＶＨ）に変化する。この駆動信号Ｖcom（Ｂ(k)）は、静電容量を介してタッチ検出電極ＴＤＬに伝わり、タッチ検出信号Ｖdetが変化する（図１３（Ｇ））。
【００６６】
次に、タッチ検出部４０のＡ／Ｄ変換部４３が、サンプリングタイミングｔｓにおいて、このタッチ検出信号Ｖdetが入力されたＬＰＦ部４２の出力信号をＡ／Ｄ変換する（図１３（Ｇ））。タッチ検出部４０の信号処理部４４は、後述するように、複数の水平期間において収集したこのＡ／Ｄ変換結果に基づいて、タッチ検出を行う。
【００６７】
なお、駆動部５３(k)以外の駆動部５３では、タイミングｔ１〜ｔ２の期間において、スイッチＳＷ１がオフ状態になるとともに、スイッチＳＷ２がオン状態になっており、直流駆動信号ＶcomDCが、そのスイッチＳＷ２を介して、対応する駆動電極ブロックＢを構成する駆動電極ＣＯＭＬに対して印加される（図１３（Ｆ））。これにより、例えば駆動信号Ｖcom（Ｂ(k-1)），Ｖcom（Ｂ(k+1)）は、低レベル（ＶcomDC）を維持する。
【００６８】
次に、駆動電極ドライバ１６の走査制御部５１は、タイミングｔ２において、Ｖcom選択信号ＶＣＯＭＳＥＬの電圧を高レベルから低レベルに変化させる（図１３（Ｅ））。これにより、駆動電極ドライバ１６では、駆動部５３(k)において、スイッチＳＷ１がオフ状態になるとともにスイッチＳＷ２がオン状態となり、直流駆動信号ＶcomDCが、そのスイッチＳＷ２を介して、対応する駆動電極ブロックＢ(k)を構成する駆動電極ＣＯＭＬに対して、駆動信号Ｖcom（Ｂ(k)）として印加される（図１３（Ｆ））。
【００６９】
この時、駆動電極ブロックＢ(k)の駆動電極ＣＯＭＬに充電されていた電荷が、タイミングｔ２以降において、駆動部５３(k)のスイッチＳＷ２を介して他の駆動電極ブロックＢに移動することにより、図１３（Ｆ）に示したように、駆動信号Ｖcom（Ｖcom(B(k-1)),Ｖcom(B(k)),Ｖcom(B(k+1))など）がやや上昇する（波形部分Ｗ１）。そして、駆動信号生成部１５がこの電荷をシンクすることにより、これらの駆動信号Ｖcomは、直流駆動信号ＶcomDCの電圧レベル（０Ｖ）に収束する。
【００７０】
次に、タイミングｔ３において、タッチ検出期間Ｐｔが終了するとともに、書き込み期間Ｐｗが開始する。
【００７１】
まず、ゲートドライバ１２は、タイミングｔ３において、表示動作に係るｎ行目の走査信号線ＧＣＬ(n)に対して、走査信号Ｖscanを印加し、走査信号Ｖscan(n)が低レベルから高レベルに変化する（図１３（Ａ））。これにより、ゲートドライバ１２は、表示動作の対象となる１水平ラインを選択する。
【００７２】
そして、ソースドライバ１３が、画素信号Ｖsigとして、赤色のサブ画素ＳＰixのための画素電圧ＶＲを選択スイッチ部１４に供給するとともに（図１３（Ｂ））、その画素電圧ＶＲを供給している期間において高レベルとなるスイッチ制御信号ＶselRを生成する（図１３（Ｃ））。そして、選択スイッチ部１４は、このスイッチ制御信号ＶselRが高レベルとなる期間においてスイッチＳＷＲをオン状態にすることにより、ソースドライバ１３から供給された画素電圧ＶＲを画素信号Ｖsigから分離し、画素信号ＶpixRとして、画素信号線ＳＧＬを介して、赤色のサブ画素ＳＰixに対して供給する（図１３（Ｄ））。なお、スイッチＳＷＲがオフ状態になった後には、この画素信号線ＳＧＬがフローティング状態になるために、この画素信号線ＳＧＬの電圧は保持される（図１３（Ｄ））。
【００７３】
同様に、ソースドライバ１３は、緑色のサブ画素Ｓpixのための画素電圧ＶＧを、対応するスイッチ制御信号ＶselGとともに選択スイッチ部１４に供給し（図１３（Ｂ），（Ｃ））、選択スイッチ部１４は、スイッチ制御信号ＶselGに基づいて、この画素電圧ＶＧを画素信号Ｖsigから分離して、画素信号ＶpixGとして、画素信号線ＳＧＬを介して、緑色のサブ画素ＳＰixに供給する（図１３（Ｄ））。
【００７４】
その後、同様に、ソースドライバ１３は、青色のサブ画素Ｓpixのための画素電圧ＶＢを、対応するスイッチ制御信号ＶselBとともに選択スイッチ部１４に供給し（図１３（Ｂ），（Ｃ））、選択スイッチ部１４は、スイッチ制御信号ＶselBに基づいて、この画素電圧ＶＢを画素信号Ｖsigから分離して、画素信号ＶpixBとして、画素信号線ＳＧＬを介して、青色のサブ画素ＳＰixに供給する（図１３（Ｄ））。
【００７５】
次に、ゲートドライバ１２は、タイミングｔ４において、ｎ行目の走査信号線ＧＣＬの走査信号Ｖscan(n)を高レベルから低レベルに変化させる（図１３（Ａ））。これにより、表示動作に係る１水平ラインのサブ画素Ｓpixは、画素信号線ＳＧＬから電気的に切り離される。以上で書込期間Ｐｗが終了する。
【００７６】
そして、タイミングｔ５において１水平期間（１Ｈ）が終了するとともに、新たな１水平期間（１Ｈ）が開始する。
【００７７】
これ以降、上述した動作を繰り返すことにより、表示パネル１では、線順次走査により、表示面全体における表示動作が行われるとともに、以下に示すように駆動電極ブロックＢずつ走査することにより、タッチ検出面全体におけるタッチ検出動作が行われる。
【００７８】
図１４は、タッチ検出走査の動作例を表すものであり、（Ａ）はＶcom選択信号ＶＣＯＭＳＥＬの波形を示し、（Ｂ）は走査信号Ｓｔの波形を示し、（Ｃ）は駆動信号Ｖcomの波形を示し、（Ｄ）はタッチ検出信号Ｖdetの波形を示す。なお、この図では、説明の便宜上、信号電圧が遷移する際の過渡的な振る舞い（立ち上がり時間ｔｒ，立ち下がり時間ｔｆ等）を省略している。
【００７９】
駆動電極ドライバ１６は、図１４に示したように、タッチ検出走査部５２が生成する走査信号Ｓｔ（図１４（Ｂ））に基づいて、対応する駆動電極ブロックＢに直流駆動信号ＶcomHを順次印加することにより（図１４（Ｃ））、タッチ検出走査を行う。その際、駆動電極ドライバ１６は、タッチ検出動作の対象となる駆動電極ブロックＢに対して、所定の複数の水平期間にわたり、直流駆動信号ＶcomDC，ＶcomHから生成されるパルス信号を印加する（図１４（Ｃ））。タッチ検出部４０は、各１水平期間において、このパルス信号に基づくタッチ検出信号Ｖdetをサンプリングし、この所定の複数の水平期間のうちの最後の水平期間におけるサンプリングが終了した後に、信号処理部４４が、これらの複数のサンプリング結果に基づいて、その駆動電極ブロックＢに対応する領域に対するタッチの有無などを検出する。このように、複数のサンプリング結果に基づいてタッチ検出を行うようにしたので、サンプリング結果を統計的に解析することが可能となり、サンプリング結果のばらつきに起因するＳ／Ｎ比の劣化を抑えることができ、タッチ検出の精度を高めることができる。
【００８０】
表示パネル１では、駆動信号生成部１５が、駆動電極ドライバ１６に対して、配線ＬＤＣ，ＬＨを介して直流駆動信号ＶcomDC，ＶcomHを供給し、駆動電極ドライバ１６が、これらに基づいて駆動信号Ｖcomを生成している。よって、駆動信号生成部１５は、例えば、駆動電極ドライバ１６がタッチ検出動作の対象となる駆動電極ブロックＢに対して直流駆動信号ＶcomH（パルス信号）を印加する際、配線ＬＨにはすでに電圧ＶＨが印加されているため、その駆動電極ブロックＢのみを駆動すればよい。これにより、表示パネル１では、以下にいくつかの比較例と対比して説明するように、駆動信号Ｖcomの遷移時間（例えば立ち上がり時間ｔｒ）を短くすることができる。
【００８１】
また、このように、駆動信号Ｖcomの遷移時間を短くすることにより、表示パネル１の高精細化や大型化などにも対応できるようになる。具体的には、例えば表示パネル１が高精細化した場合には、水平ラインの数が増加することに伴い、１フレーム期間における、画素信号の書込期間の占める割合が多くなるため、長い時間幅のタッチ検出時間Ｐｔを確保することが難しくなる。表示パネル１では、上述したように、駆動信号Ｖcom（パルス信号）の遷移時間を短くすることができるため、タッチ検出時間Ｐｔを短くすることができ、表示パネル１の高精細化や大型化などにも対応できるようになる。
【００８２】
次に、いくつかの比較例と対比して、本実施の形態の作用を説明する。
【００８３】
（比較例１）
まず最初に、比較例１に係る表示パネル１Ｑについて説明する。表示パネル１Ｑは、本実施の形態の場合（図１２）と異なり、駆動電極ドライバ１６が、制御部１１等とともにＣＯＧとして実装されたものである。
【００８４】
図１５は、表示パネル１Ｑの実装例を模式的に表すものである。図１５に示したように、駆動電極ドライバ１６が、制御部１１、ソースドライバ１３、および駆動信号生成部１５とともにＣＯＧとして実装され、並設された複数の駆動電極ブロックＢのそれぞれと、長い配線Ｌを介して接続されている。駆動電極ドライバ１６は、この配線Ｌを介して、各駆動電極ブロックＢに対して、例えば、図１４（Ｃ）に示したような駆動信号Ｖcomを供給する。
【００８５】
本比較例１に係る表示パネル１Ｑでは、ＣＯＧとして実装された駆動電極ドライバ１６が、直接、長い配線Ｌを介して各駆動電極ブロックＢを駆動する。図１５に示したように、配線Ｌは、駆動電極ブロックＢの数だけ必要になるため、各配線Ｌの幅は細くなり、配線抵抗が大きくなってしまう。これにより、駆動電極ドライバ１６が、各駆動電極ブロックＢに対して、図１４（Ｃ）に示したような駆動信号Ｖcom（パルス信号）を供給する場合、配線Ｌの時定数が大きいため、その信号の立ち上がり時間ｔｒおよび立ち下がり時間ｔｆが増大してしまい、そのパルス波形が潰れてしまうおそれがある。この場合には、その潰れたパルス信号がタッチ検出電極ＴＤＬに伝わり、タッチ検出信号Ｖdetとして出力されるため、タッチ検出の精度が低下するおそれがある。
【００８６】
一方、本実施の形態に係る表示パネル１では、図１２に示したように、駆動電極ドライバ１６（１６Ａ，１６Ｂ）は、表示領域Ａｄの近傍のＴＦＴ基板２１上に、ＴＦＴ素子を用いて形成されている。そして、駆動信号生成部１５は、駆動電極ドライバ１６に対して、太い配線ＬＤＣを介して直流駆動信号ＶcomDCを供給するとともに、太い配線ＬＨを介して直流駆動信号ＶcomHを供給し、駆動電極ドライバ１６は、このようにして供給された直流駆動信号ＶcomDC，ＶcomHに基づいて、図１４（Ｃ）に示したような駆動信号Ｖcom（パルス信号）を生成し、駆動電極ブロックＢに対して供給する。すなわち、配線ＬＤＣ，ＬＨは、太く形成されており、かつ直流信号を伝えることから、表示パネル１では、駆動信号Ｖcomのパルス波形が、配線ＬＤＣ，ＬＨの時定数により潰れるおそれを低減することができる。
【００８７】
（比較例２）
次に、比較例２に係る表示パネル１Ｒについて説明する。表示パネル１Ｒは、本実施の形態の場合（図１２）と異なり、駆動信号生成部が交流の駆動信号を生成するものである。
【００８８】
図１６は、表示パネル１Ｒの一構成例を表すものである。表示パネル１Ｒは、駆動信号生成部１５Ｒと、制御部１１Ｒを備えている。駆動信号生成部１５Ｒは、直流駆動信号ＶcomDCおよび交流駆動信号ＶcomACを生成し、駆動電極ドライバ１６に対して供給するものである。駆動電極ドライバ１６は、これらの直流駆動信号ＶcomDCおよび交流駆動信号ＶcomACに基づいて、上記実施の形態の場合と同様に、駆動電極ブロックＢに対して駆動信号Ｖcomを供給する。制御部１１Ｒは、制御部１１の機能に加え、この駆動信号制御部１５Ｒに対して、交流駆動信号ＶcomACの遷移タイミングなどを指示するための制御信号を供給する機能を有している。
【００８９】
図１７は、表示パネル１Ｒの実装例を模式的に表すものである。図１７に示したように、駆動信号生成部１５Ｒは、制御部１１、ソースドライバ１３とともに、画素基板２上にＣＯＧとして実装されている。駆動電極ドライバ１６は、駆動信号生成部１５Ｒから、太いパターンを有する配線ＬＤＣにより直流駆動信号ＶcomDCの供給を受けるとともに、太いパターンを有する配線ＬＡＣにより交流駆動信号ＶcomACの供給を受ける。すなわち、表示パネル１Ｒでは、配線ＬＡＣを太く形成することにより、配線の時定数を小さくしている。
【００９０】
図１８は、表示パネル１Ｒのタイミング波形例を表すものであり、（Ａ）は交流駆動信号ＶcomACの波形を示し、（Ｂ）は直流駆動信号ＶcomDCの波形を示し、（Ｃ）は走査信号Ｖscanの波形を示し、（Ｄ）は画素信号Ｖsigの波形を示し、（Ｅ）はスイッチ制御信号Ｖselの波形を示し、（Ｆ）は画素信号Ｖpixの波形を示し、（Ｇ）はＶcom選択信号ＶＣＯＭＳＥＬの波形を示し、（Ｈ）は駆動信号Ｖcomの波形を示し、（Ｉ）はタッチ検出信号Ｖdetの波形を示す。
【００９１】
本比較例２に係る駆動電極ドライバ１６では、走査制御部５１は、図１８に示したように、交流駆動信号ＶcomACのパルス幅（タイミングｔ１２〜ｔ１３の時間）より広いパルス幅（タイミングｔ１１〜ｔ１４の時間）を有するＶcom選択信号ＶＣＯＭＳＥＬを生成する。そして、各駆動部５３は、このＶcom選択信号ＶＣＯＭＳＥＬが高レベルの期間において、交流駆動信号ＶcomACのパルス波形部分を、タッチ検出駆動の対象となる駆動電極ブロックＢに印加する（図１８（Ｈ））。
【００９２】
本比較例２に係る表示パネル１Ｒでは、図１７に示したように、ＣＯＧとして実装された駆動信号生成部１５Ｒが、駆動電極ドライバ１６に対して、長い配線ＬＡＣを介して交流駆動信号ＶcomACを供給する。この配線ＬＡＣは、上記比較例１に係る表示パネル１Ｑの場合（図１５）と異なり、太く形成されているため、配線抵抗を小さくすることができる。しかしながら、配線ＬＡＣは交流駆動信号ＶcomACを伝えるため、この配線ＬＡＣの配線容量に起因してパルス信号の遷移時間が大きくなるおそれがある。
【００９３】
図１９は、比較例２に係る表示パネル１Ｒと、本実施の形態に係る表示パネル１における、駆動信号Ｖcomの立ち上がり時間ｔｒと立ち下がり時間ｔｆの特性例を表すものである。
【００９４】
このように、比較例２に係る表示パネル１Ｒでは、駆動信号生成部１５Ｒは、タッチ検出動作の対象となる駆動電極ブロックＢに対して交流駆動信号ＶcomACを印加する際、その駆動電極ブロックＢに加え、配線ＬＡＣをも駆動する必要があるため、立ち上がり時間ｔｒおよび立ち下がり時間ｔｆが長くなるおそれがある。
【００９５】
一方、表示パネル１では、駆動信号生成部１５が、駆動電極ドライバ１６に対して、配線ＬＤＣ，ＬＨを介して直流駆動信号ＶcomDC，ＶcomHを供給し、駆動電極ドライバ１６が、これらに基づいてパルス信号を生成している。よって、駆動信号生成部１５は、例えば、タッチ検出動作の対象となる駆動電極ブロックＢに対して直流駆動信号ＶcomHを印加する際、配線ＬＨにはすでに電圧ＶＨが印加されているため、その駆動電極ブロックＢのみを駆動すればよく、これにより、立ち上がり時間ｔｒを短くすることができる。
【００９６】
また、表示パネル１Ｒでは、その太く形成された配線ＬＡＣにおける信号が交流信号（交流駆動信号ＶcomAC）であるため、その交流成分が、表示領域Ａｄに並設されたタッチ検出電極ＴＤＬのうちの一番外側のタッチ検出電極ＴＤＬに、寄生容量などを介してノイズＮ１として伝わるおそれがある（図１７）。この寄生容量は、配線抵抗を小さくするための配線ＬＡＣを太く形成した場合にはより大きくなる。このようにタッチ検出電極ＴＤＬにノイズが伝わる場合には、このノイズが重畳されたタッチ検出信号Ｖdetに基づいてタッチ検出が行われるため、タッチ検出の精度が低下するおそれがある。
【００９７】
一方、本実施の形態に係る表示パネル１では、図１２に示したように、太く形成された２本の配線ＬＤＣ，ＬＨにおける信号は、ともに直流信号（直流駆動信号ＶcomDC，ＶcomH）であるため、この配線ＬＤＣ，ＬＨの信号が、タッチ検出電極ＴＤＬに、寄生容量などを介してノイズとして伝わるおそれを低減することができる。これにより、表示パネル１では、タッチ検出の精度が低下するおそれを低減することができる。
【００９８】
［効果］
以上のように本実施の形態では、駆動信号生成部が２つの直流駆動信号を生成し、駆動電極ブロックの近傍に配置された駆動電極ドライバがそれらに基づいて駆動信号を生成するようにしたので、駆動信号の遷移時間を短くすることができ、各駆動電極ブロックを、より短い時間で駆動することができる。
【００９９】
また、本実施の形態では、駆動信号の遷移時間を短くするようにしたので、駆動信号のパルス波形が潰れるおそれを低減でき、タッチ検出の精度の低下を抑えることができる。
【０１００】
また、本実施の形態では、駆動信号生成部が、配線を介して駆動電極ドライバに対して直流駆動信号を供給するようにしたので、これらの配線の信号が、タッチ検出電極に対してノイズとして伝わるおそれを低減することができ、タッチ検出の精度の低下を抑えることができる。
【０１０１】
［変形例１−１］
上記実施の形態では、各水平ラインを表示するごとにタッチ検出を行ったが、これに限定されるものではなく、これに代えて、例えば、複数の水平ラインを表示するごとにタッチ検出を行ってもよい。具体的には、例えば、表示面を、タッチ検出面と同様に複数の領域（部分表示領域）に区分し、各部分表示領域における表示動作ごとに、タッチ検出動作を行ってもよい。以下に、表示面を２０個の部分表示領域Ａ１〜Ａ２０に区分した場合の例について、詳細に説明する。
【０１０２】
図２０は、本変形例に係る表示パネル１Ｂの動作を模式的に表すものであり、（Ａ）はタッチ検出動作を示し、（Ｂ）は表示動作を示す。この例では、１フレーム期間（１Ｆ）において、２０個のタッチ検出期間Ｐｔと、２０個の表示期間Ｐｄとが交互に配置されている。
【０１０３】
まず、最初のタッチ検出期間Ｐｔでは、駆動電極ブロックＢ１，Ｂ２に対するタッチ検出動作が行われ、続く表示期間Ｐｄでは、部分表示領域Ａ１における複数の水平ラインに対する表示動作（書込動作）が行われる。そして、次のタッチ検出期間Ｐｔでは、駆動電極ブロックＢ３，Ｂ４に対するタッチ検出動作が行われ、続く表示期間Ｐｄでは、部分表示領域Ａ２における複数の水平ラインに対する表示動作（書込動作）が行われる。その後、同様に交互にタッチ検出動作と表示動作が行われる。
【０１０４】
図２１は、表示パネル１Ｂのタッチ検出期間Ｐｔにおけるタッチ検出動作を表すものである。駆動電極ドライバ１６は、タッチ検出期間Ｐｔにおいて、まず駆動電極ブロックＢ(k)に対して、直流駆動信号ＶcomDC，ＶcomHを交互に所定回数印加する（図２１（Ａ））。この駆動信号Ｖcomは、静電容量を介してタッチ検出電極ＴＤＬに伝わり、タッチ検出信号Ｖdetが変化する（図２１（Ｂ））。タッチ検出部４０のＡ／Ｄ変換部４３は、これらのパルス信号に同期したサンプリングタイミングｔｓにおいて、タッチ検出信号Ｖdetが入力されたアナログＬＰＦ部４２の出力信号をＡ／Ｄ変換する（図２１（Ｂ））。そして、信号処理部４４は、これらのＡ／Ｄ変換結果に基づいて、駆動電極ブロックＢ(k)におけるタッチ検出を行う。
【０１０５】
その後、駆動電極ドライバ１６は、駆動電極ブロックＢ(k+1)に対して、同様に直流駆動信号ＶcomDC，ＶcomHを所定回数交互に印加し（図２１（Ａ））、タッチ検出部４０が、タッチ検出信号Ｖdetに基づいて、駆動電極ブロックＢ(k+1)におけるタッチ検出を行う。
【０１０６】
なお、図２１に示した例では、タッチ検出期間Ｐｔの最後の所定の期間において、駆動電極ドライバ１６は、駆動信号ブロックＢ(k)，Ｂ(k+1)に対して、直流駆動信号ＶcomDCを印加している。これにより、図１３に示した波形部分Ｗ１のような現象が生じる場合でも、駆動信号Ｖcomが直流駆動信号ＶcomDCの電圧レベル（０Ｖ）に収束するまでの時間を確保することができる。
【０１０７】
また、上記実施の形態では、駆動信号生成部１５は、２つの直流駆動信号ＶcomDC，ＶcomHを生成し、駆動電極ドライバ１６は、これらを駆動電極ブロックＢに対して選択的に印加したが、これに限定するものではなく、これに代えて、例えば、駆動信号生成部が３つの直流駆動信号ＶcomDC，ＶcomH，ＶcomLを生成し、駆動電極ドライバが、これらを駆動電極ブロックＢに対して選択的に印加してもよい。ここで、直流駆動信号ＶcomLは、０Ｖより低い電圧ＶＬの直流信号である。この場合には、本変形例に係る表示パネルは、例えば、図２２に示したようにタッチ検出動作を行うことができる。
【０１０８】
［変形例１−２］
上記実施の形態では、駆動電極ドライバ１６のタッチ検出走査部５２を、シフトレジスタを用いて構成したが、これに限定されるものではなく、これに代えて、例えば、デコーダを用いて構成してもよい。以下に、詳細に説明する。
【０１０９】
図２３は、本変形例に係る駆動電極ドライバ１６Ｃの要部の一構成例を表すものである。駆動電極ドライバ１６Ｃは、デコーダ６２と、走査制御部６１とを備えている。デコーダ６２は、５ビットのデコーダであり、図２４において真理値表を用いて示したように、５ビットの入力コードＤＩ（ＤＩ４（ＭＳＢ）〜ＤＩ０（ＬＳＢ））に基づいて、２０個の駆動電極ブロックＢ１〜Ｂ２０のうちの１つを選択できるようになっている。走査制御部６１は、制御部１１より供給された制御信号に基づいて、デコーダ６２に対して５ビットのコードＤＩを供給するとともに、Ｖcom選択信号ＶＣＯＭＳＥＬを、駆動部５３０に対して供給するものである。
【０１１０】
このように、デコーダ６２を用いて駆動電極ドライバ１６Ｃを構成することにより、タッチ検出走査の際、駆動電極ブロックＢを、任意の順番で順次駆動することができる。具体的には、例えば、駆動電極ブロックＢ１，Ｂ３，Ｂ５，…，Ｂ１９のように、飛び越しながら駆動することによりタッチ検出走査を行うことも可能である。
【０１１１】
なお、本変形例に係る駆動電極ドライバは、図２３の構成に限定されるものではなく、これに代えて、例えば図２５のように構成してもよい。すなわち、図２３に示したデコーダ６２の最終段回路６４と、駆動部５３の論理積回路５４とを組み合わせて、よりシンプルに構成し直してもよい。この例では、インバータ６７と、論理積回路６８，６９を設けることにより、全ての最終段回路６４を削除でき、回路規模を小さくすることができる。
【０１１２】
また、以上では、入力コードＤＩに基づいて、２０個の駆動電極ブロックＢ１〜Ｂ２０のうちの１つを選択するようにしたが、これに限定されるものではなく、例えば、複数の駆動電極ブロックＢを同時に選択する機能をも有するように構成してもよい。以下に、この場合の例を詳細に説明する
【０１１３】
図２６は、本変形例に係る駆動電極ドライバ１６Ｅの一構成例を表すものである。駆動電極ドライバ１６Ｅは、２０個の駆動電極ブロックＢ１〜Ｂ２０のうちの１つを選択する動作モードＭ１と、２つを同時に選択する動作モードＭ２との２つの動作モードを有している。
【０１１４】
駆動電極ドライバ１６Ｅは、走査制御部７１と、論理和回路７８，７９とを備えている。走査制御部７１は、走査制御部６１の有する機能に加えて、モード選択信号ＥＮを出力する機能を有している。モード選択信号ＥＮがＬレベルである場合には、駆動電極ドライバ１６Ｅは動作モードＭ１で動作する。すなわち、この場合には、一方の端子にＬレベルが入力された論理和回路７８，７９は、論理動作の観点からは意味をなさないため、この駆動電極ドライバ１６Ｅの構成は、図２５に示した駆動電極ドライバ１６Ｄの構成と同等になる。また、モード選択信号ＥＮがＨレベルである場合には、論理和回路７８，７９の出力は強制的に高レベルになり、入力コードＤＩのＬＳＢビットであるビットＤＩ０の設定が無視されるため、図２７において真理値表を用いて示したように、５ビットの入力コードＤＩのうちの上位４ビット（ＤＩ４〜ＤＩ１）を用いて、駆動電極ブロックＢを２つずつ選択できるようになる。
【０１１５】
＜３．第２の実施の形態＞
次に、第２の実施の形態に係る表示パネル７について説明する。本実施の形態は、タッチ検出期間Ｐｔにおいて、タッチ検出動作の対象外の駆動電極ブロックＢをフローティングにするものである。すなわち、表示パネル７は、駆動電極ブロックＢをフローティングにすることができる駆動部７３を有する駆動電極ドライバ１８を用いて構成されたものである。その他の構成は、上記第１の実施の形態（図４）と同様である。なお、上記第１の実施の形態に係る表示パネル１と実質的に同一の構成部分には同一の符号を付し、適宜説明を省略する。
【０１１６】
図２８は、本実施の形態に係る駆動部７３の一構成例を表すものである。なお、ここでは、ｋ番目の駆動部７３(k)について説明するが、他の駆動部も同じ構成である。
【０１１７】
駆動部７３は、論理和回路７２と、論理積回路７３，７４とを備えている。論理和回路７２は、タッチ検出走査部５２から供給された走査信号Ｓｔ、およびインピーダンス制御信号ＺＳＥＬの論理積を生成して出力するものである。ここで、インピーダンス制御信号ＺＳＥＬは、後述するように、タッチ検出期間ＰｔのみＬレベルとなり、その他の期間ではＨレベルとなる論理信号である。このインピーダンス制御信号ＺＳＥＬは、例えば、走査制御部５１が生成してもよいし、他の回路が生成してもよい。論理積回路７３は、論理積回路５４の出力信号、および論理和回路７２の出力信号の論理積を生成して、バッファ５６に供給するものである。また、論理積回路７４は、インバータ５５の出力信号、および論理和回路７２の出力信号の論理積を生成して、バッファ５７に供給するものである。
【０１１８】
この構成により、駆動部７３は、走査信号Ｓｔおよびインピーダンス制御信号ＺＳＥＬがともにＬレベルである場合には、スイッチＳＷ１，ＳＷ２の両方をオフ状態にすることにより、その駆動部７３に接続された駆動電極ブロックＢをフローティング状態にする。また、駆動部７３は、走査信号Ｓｔおよびインピーダンス制御信号ＺＳＥＬのすくなくとも一方がＨレベルである場合には、上記第１の実施の形態に係る駆動部５３と同等の動作を行う。
【０１１９】
図２９は、表示パネル７のタイミング波形例を表すものであり、（Ａ）は走査信号Ｖscanの波形を示し、（Ｂ）は画素信号Ｖsigの波形を示し、（Ｃ）はスイッチ制御信号Ｖselの波形を示し、（Ｄ）は画素信号Ｖpixの波形を示し、（Ｅ）はＶcom選択信号ＶＣＯＭＳＥＬの波形を示し、（Ｆ）はインピーダンス制御信号ＺＳＥＬの波形を示し、（Ｇ）は駆動信号Ｖcomの波形を示し、（Ｈ）はタッチ検出信号Ｖdetの波形を示す。
【０１２０】
図２９に示したように、タイミングｔ２１〜ｔ２２の期間（タッチ検出期間Ｐｔ）において、インピーダンス制御信号ＺＳＥＬが低レベルになる（図２９（Ｆ））。このとき、タッチ検出動作の対象の駆動電極ブロックＢ(k)には、上記第１の実施の形態の場合と同様に、直流駆動信号ＶcomDC，ＶcomHから生成されるパルス信号が印加される（図２９（Ｇ））。一方、タッチ検出動作の対象外の駆動電極ブロックＢ(k-1)，Ｂ(k+1)は、これらの駆動電極ブロックに接続された駆動部７３(k-1)，７３(k+1)内のスイッチＳＷ１，ＳＷ２がともにオフ状態になるため、フローティング状態になる（波形部分Ｗ２）。
【０１２１】
これにより、表示パネル７では、上記第１の実施の形態に係る表示パネル１の場合（図１３の波形部分Ｗ１）とは異なり、駆動電極ブロックＢ(k)の駆動電極ＣＯＭＬに充電されていた電荷が、タイミングｔ２２以降において、他の駆動電極ブロックＢに移動することがないため、駆動信号Ｖcomは、短い時間で０Ｖに収束する。このように、表示パネル７では、書込期間Ｐｗにおいて、駆動信号Ｖcomの電圧がすぐに０Ｖに収束するため、表示画質に影響を及ぼすおそれを低減することができる。
【０１２２】
また、表示パネル７では、駆動電極ドライバ１８は、タッチ検出期間Ｐｔにおいて、タッチ検出動作の対象外の駆動電極ブロックＢをフローティング状態にする。すなわち、駆動信号生成部１５の負荷は、２０個の駆動電極ブロックＢ１〜Ｂ２０のうち、タッチ検出動作の対象の駆動電極ブロックＢのみとなる。これにより、表示パネル７では、駆動信号Ｖcomの遷移時間を短くすることができる。
【０１２３】
図３０は、比較例２に係る表示パネル１Ｒと、本実施の形態に係る表示パネル７における、駆動信号Ｖcomの立ち上がり時間ｔｒと立ち下がり時間ｔｆの特性例を表すものである。図３０に示したように、表示パネル７では、タッチ検出動作の対象外の駆動電極ブロックＢをフローティング状態にしたので、駆動信号生成部１５の負荷を小さくすることができ、駆動信号Ｖcomの遷移時間（立ち上がり時間ｔｒ，立ち下がり時間ｔｆ）を短くすることができる。
【０１２４】
また、表示パネル７では、タッチ検出期間Ｐｔにおいて、スイッチ制御信号Ｖselを低レベルにして（図２９（Ｃ））、選択スイッチ部１４の各スイッチＳＷＲ，ＳＷＧ，ＳＷＢを全てオフ状態にしている。すなわち、画素信号線ＳＧＬは、タッチ検出期間Ｐｔにおいて、フローティング状態になっている。これにより、画素信号線ＳＧＬに電圧が印加されている場合（後述する変形例２−１）と比較して、駆動電極ＣＯＭＬの容量や、タッチ検出電極ＴＤＬの容量を減らすことができ、タッチ検出に要する時間ｔtotalを短くすることができる。
【０１２５】
以上のように本実施の形態では、タッチ検出動作の対象外の駆動電極ブロックをフローティング状態にしたので、表示画質に影響を及ぼすおそれを低減することができる。
【０１２６】
また、本実施の形態では、タッチ検出期間において、タッチ検出動作の対象の駆動電極ブロックのみを駆動信号生成部の負荷にしたので、駆動信号生成部の負荷が軽くなるので、駆動信号の遷移時間を短くすることができる。
【０１２７】
また、本実施の形態では、タッチ検出期間において、画素信号線をフローティングにしたので、タッチ検出に要する時間を短くすることができる。
【０１２８】
その他の効果は、上記第１の実施の形態の場合と同様である。
【０１２９】
［変形例２−１］
上記実施の形態では、選択スイッチ部１４を設けたが、これに限定するものではなく、これに代えて、ソースドライバが画素信号Ｖpixを直接生成してもよい。以下に、本変形例の詳細を説明する。
【０１３０】
図３１は、本変形例に係る表示パネル７Ｂの一構成例を表すものである。図３２は、表示パネル７Ｂのタイミング波形例を表すものであり、（Ａ）は走査信号Ｖscanの波形を示し、（Ｂ）は画素信号Ｖpixの波形を示し、（Ｃ）はＶcom選択信号ＶＣＯＭＳＥＬの波形を示し、（Ｄ）はインピーダンス制御信号ＺＳＥＬの波形を示し、（Ｅ）は駆動信号Ｖcomの波形を示し、（Ｆ）はタッチ検出信号Ｖdetの波形を示す。
【０１３１】
表示パネル７Ｂは、図３１に示したように、ソースドライバ１３Ｂを備えている。ソースドライバ１３Ｂは、制御部１１から供給される映像信号およびソースドライバ制御信号に基づいて、画素信号Ｖpix（ＶpixR，ＶpixG，ＶpixB）を生成し、出力するものである。すなわち、ソースドライバ１３Ｂは、上記実施の形態に係るソースドライバ１３とは異なり、画素信号Ｖsigを生成するのではなく、画素信号Ｖpixを直接生成し、その画素信号Ｖpixを、タッチ検出機能付き表示デバイス１０の液晶表示デバイス２０に供給する。その際、ソースドライバ１３Ｂは、図３２に示したように、画素信号線ＳＧＬをフローティングにさせることなく、常に、画素信号線ＳＧＬに対して画素信号Ｖpixを印加する。
【０１３２】
この場合でも、上記実施の形態に係る表示パネル７と同様に、タッチ検出動作の対象の駆動電極ブロックのみが駆動信号生成部の負荷となるので、駆動信号の遷移時間を短くすることができる。
【０１３３】
なお、上記実施の形態に係る表示パネル７では、本変形例に係る表示パネル７Ｂとは異なり、タッチ検出期間Ｐｔにおいて、画素信号線ＳＧＬをフローティングにしている。これにより、タッチ検出電極ＴＤＬの容量を減らすことができる。具体的には、駆動電極ＣＯＭＬがフローティング状態の場合には、タッチ検出電極ＴＤＬの容量は、タッチ検出電極ＴＤＬとその駆動電極ＣＯＭＬとの間の容量と、その駆動電極ＣＯＭＬとその下に配設された画素信号線ＳＧＬ間の容量との直列容量になる。すなわち、容量の直列接続により、タッチ検出電極ＴＤＬの容量を小さくすることができる。
【０１３４】
このように、表示パネル７では、タッチ検出電極ＴＤＬの時定数が小さくなるため、タッチ検出信号Ｖdetの遷移時間（立ち上がり時間ｔｒおよび立ち下がり時間ｔｆ）を小さくすることができ、表示パネル全体でのタッチ検出に要する時間ｔtotalを短くすることができる。
【０１３５】
図３３は、表示パネル７Ｂ，７における、タッチ検出に要する時間ｔtotalを表すものである。時間ｔtxは、タッチ検出に要する時間ｔtotalのうち、駆動電極ＣＯＭＬに起因する時間を示し、時間ｔrxは、タッチ検出電極ＴＤＬに起因する時間を示す。
【０１３６】
このように、表示パネル７では、タッチ検出電極ＴＤＬの時定数を小さくすることができるため、タッチ検出電極ＴＤＬに起因する時間ｔrxを短くすることができ、表示パネル全体でのタッチ検出に要する時間ｔtotalを短くすることができる。
【０１３７】
［変形例２−２］
上記実施の形態に係る表示パネル７に、上記第１の実施の形態の変形例１−１，１−２を適用してもよい。
【０１３８】
＜４．適用例＞
次に、上記実施の形態および変形例で説明した表示パネルの適用例について説明する。
【０１３９】
図３４は、上記実施の形態等の表示パネルが適用されるテレビジョン装置の外観を表すものである。このテレビジョン装置は、例えば、フロントパネル５１１およびフィルターガラス５１２を含む映像表示画面部５１０を有しており、この映像表示画面部５１０は、上記実施の形態等に係る表示パネルにより構成されている。
【０１４０】
上記実施の形態等の表示パネルは、このようなテレビジョン装置の他、デジタルカメラ、ノート型パーソナルコンピュータ、携帯電話等の携帯端末装置、携帯型ゲーム機、あるいはビデオカメラなどのあらゆる分野の電子機器に適用することが可能である。言い換えると、上記実施の形態等の表示パネルは、映像を表示するあらゆる分野の電子機器に適用することが可能である。
【０１４１】
以上、いくつかの実施の形態および変形例、ならびに電子機器への適用例を挙げて本技術を説明したが、本技術はこれらの実施の形態等には限定されず、種々の変形が可能である。
【０１４２】
例えば、上記実施の形態等では、図６に示したように、ＴＦＴ基板２１の上に駆動電極ＣＯＭＬを形成し、その上に絶縁膜２３を介して画素電極２２を形成したが、これに限定されるものではなく、これに代えて、例えば、ＴＦＴ基板２１の上に画素電極２２を形成し、その上に絶縁膜２３を介して駆動電極ＣＯＭＬを形成してもよい。
【０１４３】
また、例えば、上記実施の形態等では、ＦＦＳやＩＰＳ等の横電界モードの液晶を用いた液晶表示デバイスとタッチ検出デバイスとを一体化したが、これに代えて、ＴＮ（ツイステッドネマティック）、ＶＡ（垂直配向）、ＥＣＢ（電界制御複屈折）等の各種モードの液晶を用いた液晶表示デバイスとタッチ検出デバイスとを一体化してもよい。このような液晶を用いた場合には、タッチ検出機能付き表示デバイスを、図３５に示したように構成可能である。図３５は、本変形例に係るタッチ検出機能付き表示デバイス１０Ｄの要部断面構造の一例を表すものであり、画素基板２Ｂと対向基板３Ｂとの間に液晶層６Ｂを挟持された状態を示している。その他の各部の名称や機能等は図６の場合と同様なので、説明を省略する。この例では、図６の場合とは異なり、表示用とタッチ検出用の双方に兼用される駆動電極ＣＯＭＬは、対向基板３Ｂに形成されている。
【０１４４】
また、例えば、上記各実施の形態では、液晶表示デバイスと静電容量式のタッチ検出デバイスとを一体化したいわゆるインセルタイプとしたが、これに限定されるものではなく、これに代えて、例えば液晶表示デバイスの表面に静電容量式のタッチ検出デバイスを形成した、いわゆるオンセルタイプであってもよい。オンセルタイプでは、例えば、液晶表示デバイスから、タッチ検出デバイスに表示駆動のノイズが伝搬する場合には、上記実施の形態のように駆動することにより、そのノイズを低減することができるため、タッチ検出精度の低下を抑えることができる。
【０１４５】
また、例えば、上記各実施の形態では、表示素子は液晶素子としたが、これに限定されるものではなく、これに代えて、例えばＥＬ（Electro Luminescence）素子であってもよい。
【０１４６】
なお、本技術は以下のような構成とすることができる。
【０１４７】
（１）複数の表示素子と、
複数の駆動電極と、
各駆動電極との間に静電容量を形成する１または複数のタッチ検出電極と、
互いに電圧が異なる複数の直流信号を生成する信号生成部と、
各駆動電極に対して前記複数の直流信号を選択的に印加する駆動部と
を備えた表示パネル。
【０１４８】
（２）前記複数の直流信号は、第１の直流信号および第２の直流信号であり、
前記駆動部は、前記表示素子に画素信号が書き込まれる書込期間において、前記複数の駆動電極に対して前記第１の直流信号を印加し、前記書込期間とは異なるタッチ検出期間のうちの少なくとも一部の期間において、前記複数の駆動電極のうちのタッチ検出の対象である１または複数の駆動対象電極に対して、前記第２の直流信号を印加する
前記（１）に記載の表示パネル。
【０１４９】
（３）前記駆動部は、前記複数の駆動電極の近傍に配置されている
前記（２）に記載の表示パネル。
【０１５０】
（４）前記駆動部は、前記タッチ検出期間において、前記複数の駆動電極のうちの前記駆動対象電極以外の駆動電極を、電気的にフローティング状態にする
前記（２）または（３）に記載の表示パネル。
【０１５１】
（５）前記駆動部は、前記タッチ検出期間において、前記複数の駆動電極のうちの前記駆動対象電極以外の駆動電極に対して、前記第１の直流信号を印加する
前記（２）または（３）に記載の表示パネル。
【０１５２】
（６）前記画素信号を生成する画素信号生成部と
前記画素信号を伝える複数の信号線と
を備え、
前記画素信号生成部は、前記書込期間において、前記複数の信号線に対して前記画素信号を印加し、前記タッチ検出期間において、前記複数の信号線をフローティング状態にする
前記（２）から（５）のいずれかに記載の表示パネル。
【０１５３】
（７）前記画素信号を生成する画素信号生成部と
前記画素信号を伝える複数の信号線と
を備え、
前記画素信号生成部は、前記書込期間および前記タッチ検出期間において、前記複数の信号線に対して前記画素信号を印加する
前記（２）から（５）のいずれかに記載の表示パネル。
【０１５４】
（８）１の前記書込期間が１つの水平期間に存在し、
前記タッチ検出期間は、複数の書込期間に１つの割合で設けられている
前記（２）から（７）のいずれかに記載の表示パネル。
【０１５５】
（９）１の前記書込期間が１つの水平期間に存在し、
前記タッチ検出期間は、１つの書込期間に１つの割合で設けられている
前記（２）から（７）のいずれかに記載の表示パネル。
【０１５６】
（１０）前記駆動部は、前記複数の駆動電極を、所定本数の駆動電極からなる電極ブロックを単位として駆動する
前記（１）から（９）のいずれかに記載の表示パネル。
【０１５７】
（１１）前記表示素子は、
液晶層と、
前記液晶層および前記駆動電極の間に形成され、もしくは前記駆動電極を挟んで前記液晶層と対向するように配置された画素電極と
を含んで構成される
前記（１）から（１０）のいずれかに記載の表示パネル。
【０１５８】
（１２）前記表示素子は、
液晶層と、
前記液晶層を挟んで前記駆動電極と対向するように配置された画素電極と
を含んで構成される
前記（１）から（１０）のいずれかに記載の表示パネル。
【０１５９】
（１３）互いに電圧が異なる複数の直流信号を生成する信号生成部と、
１または複数のタッチ検出電極との間に静電容量を形成する複数の駆動電極のそれぞれに対して、前記複数の直流信号を選択的に印加する駆動部と
を備えた駆動回路。
【０１６０】
（１４）互いに電圧が異なる複数の直流信号を生成し、１または複数のタッチ検出電極との間に静電容量を形成する複数の駆動電極のそれぞれに対して、前記複数の直流信号を選択的に印加する
駆動方法。
【０１６１】
（１５）表示パネルと、
前記表示パネルを利用した動作制御を行う制御部と
を備え、
前記表示パネルは、
複数の表示素子と、
複数の駆動電極と、
各駆動電極との間に静電容量を形成する１または複数のタッチ検出電極と、
互いに電圧が異なる複数の直流信号を生成する信号生成部と、
各駆動電極に対して前記複数の直流信号を選択的に印加する駆動部と
を有する
電子機器。
【符号の説明】
【０１６２】
１，７，７Ｂ…表示パネル、２，２Ｂ…画素基板、３，３Ｂ…対向基板、６，６Ｂ…液晶層、１０…タッチ検出機能付き表示デバイス、１１…制御部、１２，１２Ａ，１２Ｂ…ゲートドライバ、１３…ソースドライバ、１４…選択スイッチ部、１５…駆動信号生成部、１６，１６Ａ，１６Ｂ，１６Ｃ，１６Ｄ，１８…駆動電極ドライバ、１７…スイッチグループ、２０…液晶表示デバイス、２１…ＴＦＴ基板、２２…画素電極、２３…絶縁層、３０…タッチ検出デバイス、３１…ガラス基板、３２…カラーフィルタ、３５…偏光板、４０…タッチ検出部、４２…ＬＰＦ部、４３…Ａ／Ｄ変換部、４４…信号処理部、４５…座標抽出部、４６…検出タイミング制御部、５１，６１，７１…走査制御部、５２…タッチ検出走査部、５３，５３０，７３…駆動部、５４，６８，６９，７３，７４…論理積回路、５５，６７…インバータ、５６，５７…バッファ、６２…デコーダ、６３…４ｂｉｔデコーダ、７２，７８，７９…論理和回路、Ａ，Ａ１〜Ａ２０…部分表示領域、Ｂ，Ｂ１〜Ｂ２０…駆動電極ブロック、ＣＯＭＬ…駆動電極、ＤＩ…入力コード、ＧＣＬ…走査信号線、ＬＣ…液晶素子、ＬＤＣ，ＬＨ…配線、Ｏut…出力信号、Ｐｄ…表示期間、Ｐix…画素、Ｐｔ…タッチ検出期間、Ｐｗ…書込期間、ＳPix…サブ画素、Ｓcand…表示走査、Ｓcant…タッチ検出走査、ＳＧＬ…画素信号線、Ｓｔ…走査信号、ＳＷＲ，ＳＲＧ，ＳＷＢ，ＳＷ１，ＳＷ２…スイッチ、Ｔ…フレキシブルプリント基板、ＴＤＬ…タッチ検出電極、Ｔｒ…ＴＦＴ素子、ｔｒ…立ち上がり時間、ｔｆ…立ち下がり時間、ｔｓ…サンプリングタイミング、ｔtotal…時間、Ｖcom…駆動信号、ＶcomDC，ＶcomH…直流駆動信号、ＶＣＯＭＳＥＬ…Ｖcom選択信号、Ｖdet…タッチ検出信号、ＶＨ…電圧、Ｖscan…走査信号、Ｖsel，ＶselR，ＶselG，ＶselB…スイッチ制御信号、Ｖsig，Ｖpix，ＶpixR，ＶpixG，ＶpixB…画素信号、ＺＳＥＬ…インピーダンス制御信号。
【図１】
0005710449.tif 000002
【図２】
0005710449.tif 000003
【図３】
0005710449.tif 000004
【図４】
0005710449.tif 000005
【図５】
0005710449.tif 000006
【図６】
0005710449.tif 000007
【図７】
0005710449.tif 000008
【図８】
0005710449.tif 000009
【図９】
0005710449.tif 000010
【図１０】
0005710449.tif 000011
【図１１】
0005710449.tif 000012
【図１２】
0005710449.tif 000013
【図１３】
0005710449.tif 000014
【図１４】
0005710449.tif 000015
【図１５】
0005710449.tif 000016
【図１６】
0005710449.tif 000017
【図１７】
0005710449.tif 000018
【図１８】
0005710449.tif 000019
【図１９】
0005710449.tif 000020
【図２０】
0005710449.tif 000021
【図２１】
0005710449.tif 000022
【図２２】
0005710449.tif 000023
【図２３】
0005710449.tif 000024
【図２４】
0005710449.tif 000025
【図２５】
0005710449.tif 000026
【図２６】
0005710449.tif 000027
【図２７】
0005710449.tif 000028
【図２８】
0005710449.tif 000029
【図２９】
0005710449.tif 000030
【図３０】
0005710449.tif 000031
【図３１】
0005710449.tif 000032
【図３２】
0005710449.tif 000033
【図３３】
0005710449.tif 000034
【図３４】
0005710449.tif 000035
【図３５】
0005710449.tif 000036